(57)【要約】      （修正有）【課題】  異物を捕捉バーからきれいに除去することができる異物除去装置を備えた異物回収装置を提供する。【解決手段】  被選別物中に混入する金属微粉等の磁性体の異物を磁力により吸着するマグネットを備えた捕捉バー４と、捕捉バーが挿通されるしごき孔７を有するしごき部とを備え、しごき孔内を捕捉バーが移動してしごき孔でしごかれることにより捕捉バーの外周面に吸着する異物を掻き集めて捕捉バーから分離するように構成された異物除去装置において、捕捉バーの一部を非磁性又は弱磁性の材料で形成することにより一部を、捕捉バーから異物を分離するための分離部とし、しごき孔の孔周囲部を非磁性又は弱磁性の材料で形成し、捕捉バーの分離部をしごき孔に合致させることにより分離部に掻き集められる異物を前記マグネットの吸着力から解放するように構成したことを特徴とする。【選択図】    図４
2006181428.tif 000002
【特許請求の範囲】
【請求項１】
被選別物中に混入する金属微粉等の磁性体の異物を磁力により吸着するマグネットを備えた捕捉バーと、前記捕捉バーが挿通されるしごき孔を有するしごき部とを備え、前記しごき孔内を前記捕捉バーが移動して前記しごき孔でしごかれることにより前記捕捉バーの外周面に吸着する前記異物を掻き集めて前記捕捉バーから分離するように構成された異物除去装置において、
前記捕捉バーの一部を非磁性又は弱磁性の材料で形成することにより前記一部を、前記捕捉バーから前記異物を分離するための分離部とし、前記しごき孔の孔周囲部を非磁性又は弱磁性の材料で形成し、
前記捕捉バーの前記分離部を前記しごき孔に合致させることにより前記分離部に掻き集められる前記異物を前記マグネットの吸着力から解放するように構成したことを特徴とする異物除去装置。
【請求項２】
前記捕捉バーに吸着される異物を振動衝撃によって前記捕捉バーから振るい落とすためのノッカーを備えたことを特徴とする請求項１に記載の異物除去装置。
【請求項３】
請求項１又は２に記載の異物除去装置と、前記被選別物を流して前記被選別物から前記異物を除去するための選別室と、前記選別室に隣接して前記異物を回収するための回収室と、前記選別室と前記回収室とを仕切る仕切壁と、を備え、
前記異物除去装置の捕捉バーは、前記マグネットをチューブ内に装着したものであって、往復動可能に設けられ、
前記回収室の外壁に前記しごき孔を、前記仕切壁に挿通孔をそれぞれ設けると共に、前記しごき孔及び前記挿通孔を前記捕捉バーの往復動の軸線上に位置させ、
往動により前記捕捉バーは前記挿通孔を通って前記選別室内にまで前進し、
復動により前記捕捉バーは前記選別室内から後退して前記挿通孔から引き抜かれ、後退終端では前記捕捉バーの前記分離部は前記回収室の前記外壁の前記しごき孔と合致するように構成したことを特徴とする異物除去装置を備えた異物回収装置。
【請求項４】
前記捕捉バーを片持ち式に支持し、前記分離部を前記捕捉バーの片持ち先端に設けたことを特徴とする請求項３に記載の異物除去装置を備えた異物回収装置。
【請求項５】
前記捕捉バーの外周面に密着して前記選別室を外部から密閉するために前記しごき孔に取り付けられるリングを、非磁性又は弱磁性の材料で形成し、前記リングは、前記捕捉バーの後退終端では前記捕捉バーの前記分離部の外周面に密着して前記選別室の密閉性を確保するように構成したことを特徴とする請求項３又は４に記載の異物除去装置を備えた異物回収装置。
【請求項６】
前記回収室の前記しごき孔の孔周囲部のうち、前記外壁の内面側に非磁性又は弱磁性の材料で形成される覆い板を配設したことを特徴とする請求項３から５のいずれかに記載の異物除去装置を備えた異物回収装置。
【発明の詳細な説明】
【技術分野】
【０００１】
本発明は、マグネットを有する捕捉バーが磁着により捕捉した金属微粉等の異物を除去するための異物除去装置及び異物除去装置を備えた異物回収装置に関する。
【背景技術】
【０００２】
塩化アンモニウム粉末等の工業用原料の生産工程や食品素材の加工工程において金属微粉等の異物が混入する。かかる異物を工業用原料や食品素材から除去する異物除去装置は、工業用原料や食品素材等の被選別物を流し、この流れ中にマグネットを備えた捕捉バーを配置して該マグネットの磁力により被選別物から除去するように構成されている。
【０００３】
このようにして捕捉バーに捕捉された異物は、清掃時などに捕捉バーから分離しなければならないが、その分離装置としては、しごき孔を有するしごき体を設け、該しごき体のしごき孔に捕捉バーを挿通し、捕捉バー又はしごき体を移動させることによって捕捉バーをしごいて異物を掻き集めるようになっている（例えば、特許文献１参照。）。
【０００４】
しかしながら、捕捉バーをしごき終わったとしても、捕捉バーに異物が残るという問題があった。
【特許文献１】特開２００１−９３２２号公報
【発明の開示】
【発明が解決しようとする課題】
【０００５】
本発明は、捕捉バーに吸着されて掻き集められる異物に対するマグネットの吸着力を弱めることによって、該異物を捕捉バーからきれいに除去することができる異物除去装置及び異物除去装置を備えた異物回収装置を提供する。
【課題を解決するための手段】
【０００６】
本発明者は、前記課題を解決するために鋭意研究を重ねて完成されたものである。
１．被選別物中に混入する金属微粉等の磁性体の異物を磁力により吸着するマグネットを備えた捕捉バーと、前記捕捉バーが挿通されるしごき孔を有するしごき部とを備え、前記しごき孔内を前記捕捉バーが移動して前記しごき孔でしごかれることにより前記捕捉バーの外周面に吸着する前記異物を掻き集めて前記捕捉バーから分離するように構成された異物除去装置において、前記捕捉バーの一部を非磁性又は弱磁性の材料で形成することにより前記一部を、前記捕捉バーから前記異物を分離するための分離部とし、前記しごき孔の孔周囲部を非磁性又は弱磁性の材料で形成し、前記捕捉バーの前記分離部を前記しごき孔に合致させることにより前記分離部に掻き集められる前記異物を前記マグネットの吸着力から解放するように構成したことを特徴とする異物除去装置を提供する。
２．前記捕捉バーに吸着される異物を振動衝撃によって前記捕捉バーから振るい落とすためのノッカーを備えたことを特徴とする前記１に記載の異物除去装置を提供する。
３．前記１又は２に記載の異物除去装置と、前記被選別物を流して前記被選別物から前記異物を除去するための選別室と、前記選別室に隣接して前記異物を回収するための回収室と、前記選別室と前記回収室とを仕切る仕切壁と、を備え、前記異物除去装置の捕捉バーは、前記マグネットをチューブ内に装着したものであって、往復動可能に設けられ、前記回収室の外壁に前記しごき孔を、前記仕切壁に挿通孔をそれぞれ設けると共に、前記しごき孔及び前記挿通孔を前記捕捉バーの往復動の軸線上に位置させ、往動により前記捕捉バーは前記挿通孔を通って前記選別室内にまで前進し、復動により前記捕捉バーは前記選別室内から後退して前記挿通孔から引き抜かれ、後退終端では前記捕捉バーの前記分離部は前記回収室の前記外壁の前記しごき孔と合致するように構成したことを特徴とする異物除去装置を備えた異物回収装置を提供する。
４．前記捕捉バーを片持ち式に支持し、前記分離部を前記捕捉バーの片持ち先端に設けたことを特徴とする前記３に記載の異物除去装置を備えた異物回収装置。
５．前記捕捉バーの外周面に密着して前記選別室を外部から密閉するために前記しごき孔に取り付けられるリングを、非磁性又は弱磁性の材料で形成し、前記リングは、前記捕捉バーの後退終端では前記捕捉バーの前記分離部の外周面に密着して前記選別室の密閉性を確保するように構成したことを特徴とする前記３又は４に記載の異物除去装置を備えた異物回収装置を提供する。
６．前記回収室の前記しごき孔の孔周囲部のうち、前記外壁の内面側に非磁性又は弱磁性の材料で形成される覆い板を配設したことを特徴とする前記３から５のいずれかに記載の異物除去装置を備えた異物除去装置を提供する。
【発明の効果】
【０００７】
本発明の異物除去装置及び異物回収装置によれば、前記捕捉バーの一部を非磁性又は弱磁性の材料で形成することにより前記一部を、前記異物を分離するための分離部とし、前記しごき孔の孔周囲部を非磁性又は弱磁性の材料で形成し、前記捕捉バーの前記分離部を前記しごき孔に合致させることにより前記異物を前記捕捉バーから分離するように構成したので、前記異物に対する前記マグネットによる吸着力を弱めて前記異物を前記捕捉バーの前記分離部及び前記しごき孔の孔周囲部から分離して除去することができる。
【発明を実施するための最良の形態】
【０００８】
以下、本発明に係る異物除去装置及び異物除去装置を備えた異物回収装置の実施形態について図面を参照しつつ説明する。
【０００９】
図３Ａ等で示すように異物回収装置は、金属微粉（鉄錆）が混入された塩化アンモニウム粉末（被選別物）を自然落下させるための選別室１と、選別室１に隣接して金属微粉を回収するための回収室２と、選別室１と回収室２とを仕切るための仕切壁３と、選別室１及び回収室２の室内に配設される複数の捕捉バー４と、捕捉バー４の駆動シリンダー５と、ノッカー６と、これらを総括的に制御する図外の制御部とを備えている。また、異物除去装置は、捕捉バー４と、回収室２の外壁２１に形成されるしごき孔７と、ノッカー６とを備えている。なお、金属微粉は塩化アンモニウムの製造機械に付着したものが塩化アンモニウムの製造工程において塩化アンモニウムに混入されるものである。
【００１０】
図３Ａ，図３Ｂ等で示すように複数の捕捉バー４は適宜間隔を置いて保持板８に取り付けられ、保持板８には駆動シリンダー５のシリンダーロッド５１の先端が固定され、これによって各捕捉バー４は片持ち式に支持されており、駆動シリンダー５によって捕捉バー４は往復移動するようになっている。なお、駆動シリンダー５は図外のエア駆動源に接続されている。
【００１１】
図中の符号９は捕捉バー４を往復移動をガイドするためのガイド装置であって、選別室１及び回収室２の左右外壁に形成されるガイド孔９１と、ガイド孔９１に挿通されるガイドバー９２と、を備え、各ガイドバー９２の一端は捕捉バー４の保持板８に固定され、各ガイドバー９２の他端はシリンダーロッド５１に固定されるガイドバー９２の保持板９３に固定されている。
【００１２】
図５のように捕捉バー４は、ステンレス等の非磁性又は弱磁性の材料で形成された薄肉のチューブ４１を備え、チューブ４１内に複数の永久磁石４２を装着し、隣接する永久磁石４２の間にスペーサ４３を介在させている。各永久磁石４２はチューブ内に軸線方向に互いに反発するように同じ磁極が向き合うように配置されている。スペーサ４３は軟鋼等の強磁性の材料で形成されている。チューブ４１の自由端には合成樹脂等の非磁性又は弱磁性の材料で形成される端部材４５が取り付けられて分離部４５Ａが形成されている。
【００１３】
端部材４５は、捕捉バー４の自由端側に固定されるステンレス製の止め部材４４に、合成樹脂等の非磁性又は弱磁性の材料で形成されたボルト４６で固定される。図５のように端部材４５の中心にはボルト４６の軸部４６ａを挿通する貫通孔４５ａとボルト頭４６ｂの収容部４５ｂが形成され、止め部材４４の中心にはねじ孔４４ａが形成され、ボルト４６の軸部４６ａは端部材４５の貫通孔４５ａに挿通されて止め部材４４のねじ孔４４ａに螺合されている。なお、止め部材４４はチューブ４１に溶接により固定され、また、チューブ４１の基端には図外の栓体が取り付けられている。
【００１４】
回収室２の外壁２１には、しごき孔７が設けられ、しごき孔７には、ニトリルゴム等の非磁性又は弱磁性の材料で形成されたリング７ａが取り付けられている。リング７ａに捕捉バー４を挿入した状態ではリング７ａは捕捉バー４に密着して外部との選別室１の密閉性が維持されるようになっている。
【００１５】
図５のように回収室２の外壁２１は、芯板２１ａと、芯板２１ａの内側及び外側に配設されるチタン等の非磁性又は弱磁性の材料で形成される内側覆い板２１ｂと、ステンレス等の非磁性又は弱磁性の材料で形成された外側覆い板２１ｃと、備え、これらの板２１ａ，２１ｂ，２１ｃはねじ２１ｄで一体化され。内側覆い板２１ｂ及び外側覆い板２１ｃによってリング７ａを挟持している。また、内側覆い板２１ｂのしごき孔７の孔縁部には、外側に向けて傾斜する傾斜面２１ｅが形成されている。
【００１６】
また、仕切壁３には捕捉バー４を挿通する挿通孔３１が設けられている。そして、仕切壁３の挿通孔３１及び外壁２１のしごき孔７は捕捉バー４の往復動の軸線上に位置させている。
ノッカー６は、左右に振動して回収室２の壁に衝撃を与えることにより捕捉バー４にも衝撃を与えて該捕捉バー４の外周面やしごき孔７の周囲部に付着する金属微粉を振るい落とすものである。ノッカー６はエア式であって図外のエア供給管に接続されている。
【００１７】
以上の装置は、図４（ａ）（ｂ）のように動作することにより、捕捉バー４の外周面に付着した金属微粉を捕捉バー４から除去する。
【００１８】
図４（ａ）は捕捉バー４の前進前の状態（前進始端）を示し、この状態から往動により捕捉バー４は仕切壁３の挿通孔３１を通って選別室１内にまで前進させて選別室１内を流れる塩化アンモニウムの流れの中に配置し、捕捉バー４の永久磁石４２の磁力により塩化アンモニウムに混入した金属微粉を捕捉バー４に吸着して塩化アンモニウムから金属微粉を除去する。なお、塩化アンモニウムは選別室１の上部に設けられた投入口１ａから投入されて選別室１の下部に設けられた排出口１ｂから排出される。
【００１９】
次に、図４（ｂ）のように復動により捕捉バー４を選別室１内から後退させて挿通孔３１から引き抜くと共に、回収室２の外壁２１のしごき孔７内にまで捕捉バー４の分離部４５Ａが移動してしごき孔７のリング７ａでしごいて捕捉バー４の外周面に付着した金属微粉を掻き集めて回収室２内に掻き落とす。
【００２０】
捕捉バー４の移動が完了する後退終端では、捕捉バー４の分離部４５Ａはしごき孔７と合致し、捕捉バー４の末端部分に集積した異物に対する永久磁石４２の吸着力を弱めて異物を捕捉バー４の分離部４５Ａ及びしごき孔７の孔周囲部から分離して除去して回収室２内に落下させる。なお、外部との選別室１の密閉性を保持するために、後退終端では捕捉バー４はしごき孔７から引き抜かずにしごき孔７のリング７ａとの密着を保持することにより外部からの選別室１の密閉性を保持する。なお、捕捉バー４は、後退終端（前進始端）の位置から選別室１内にまで前進させる。
【００２１】
捕捉バー４から金属微粉を除去する際にはノッカー６を併用して捕捉バー４からの金属微粉の分離をより確実なものとする。
【図面の簡単な説明】
【００２２】
【図１】本発明の実施形態に係る異物除去装置を備えた異物回収装置の正面図である。
【図２】同装置の側面図である。
【図３Ａ】同装置の平面図、
【図３Ｂ】同装置の部品図である。
【図４】（ａ）（ｂ）は同装置の動作を示す図である。
【図５】同装置の動作を示す拡大図である。
【符号の説明】
【００２３】
１        選別室
２        回収室
３        仕切壁
４        捕捉バー
５        駆動シリンダー
６        ノッカー
４１      チューブ
４２      永久磁石（マグネット）
４５Ａ    分離部
【図１】
2006181428.tif 000003
【図２】
2006181428.tif 000004
【図３Ａ】
2006181428.tif 000005
【図３Ｂ】
2006181428.tif 000006
【図４】
2006181428.tif 000007
【図５】
2006181428.tif 000008